(57)【特許請求の範囲】
【請求項１】
非加工材料（３）に対して固定可能なベースプレート（４）を具え，該ベースプレート（４）に設けられた貫通孔（５）内に，軸線方向に作用する少なくとも１つの当接肩部（７ａ，７ｂ）を有するクランプロッド（６）を貫通させるドリルスタンド（１）において，前記貫通孔（５）に関連して配置された係止手段（８）を具え，該係止手段（８）が，クランプロッド（６）の当接肩部（７ａ，７ｂ）との軸線方向における形状結合により該クランプロッド（６）を係止するための対応肩部（１０ａ，１０ｂ）と，係止手段（８）上に係止されたクランプロッド（６）を軸線方向にクランプするための，手動操作可能な偏心手段（１１ａ，１１ｂ）とを含むことを特徴とするドリルスタンド。
【請求項２】
請求項１に記載のドリルスタンドにおいて、前記クランプロッド（６）が直径線上で相互に対向する一対の当接肩部（７ａ，７ｂ）を具え，前記係止手段（８）がそれぞれ直径線上で対向する対応肩部（１０ａ，１０ｂ）を有する一対の係止ジョー（９ａ，９ｂ）を具えることを特徴とするドリルスタンド。
【請求項３】
請求項２に記載のドリルスタンドにおいて、前記係止手段（８）における係止ジョー（９ａ，９ｂ）が，クランプロッド（６）の中心軸線に向けて弾性的に付勢されていることを特徴とするドリルスタンド。
【請求項４】
請求項２又は３に記載のドリルスタンドにおいて、前記偏心手段（１１ａ，１１ｂ）により軸線方向に変位可能とした係止手段（８）とベースプレート（４）との間に開口ウェッジ（１２）が配置され，前記係止手段（８）をクランプ方向と逆向きに変位させる際に，該開口ウェッジ（１２）により両係止ジョー（９ａ，９ｂ）を互いに離間する方向に変位させることを特徴とするドリルスタンド。
【請求項５】
請求項１〜４の何れか一項に記載のドリルスタンドにおいて、前記クランプロッド（６）における軸線方向に作用する当接肩部（７ａ，７ｂ）が，軸線方向のバックカットとして形成されていることを特徴とするドリルスタンド。
【請求項６】
請求項１〜５の何れか一項に記載のドリルスタンドにおいて、前記クランプロッド（６）における軸線方向に作用する当接肩部（７ａ，７ｂ）が，外ネジの一部として，又は軸線方向に非対称の係止部として設けられていることを特徴とするドリルスタンド。
【請求項７】
請求項１〜６の何れか一項に記載のドリルスタンドにおいて、前記貫通孔（５）が長孔として形成され，前記係止手段（８）が該長孔（５）に沿い，前記クランプロッド（６）の半径方向に向けて配置されていることを特徴とするドリルスタンド。
【請求項８】
請求項７に記載のドリルスタンドにおいて、前記係止手段（８）が，前記長孔（５）の両端に手動操作可能な偏心手段（１１ａ，１１ｂ）を具え，これらの偏心手段は好適には可動結合手段により相互に結合されていることを特徴とするドリルスタンド。
【請求項９】
請求項１〜８の何れか一項に記載のドリルスタンドにおいて、手動操作可能な偏心手段（１１ａ，１１ｂ）が，旋回レバー（１５）により所定範囲内で旋回可能に結合されていることを特徴とするドリルスタンド。
【発明の詳細な説明】
【０００１】
【技術分野】
本発明は，非加工材料に対して一時的に固定可能なベースプレートを有するドリルスタンド，例えばコアドリル装置を対象とするドリルスタンドに関するものである。
【０００２】
【従来技術】
コアドリル装置を対象とする従来のドリルスタンドは，受孔に通されたボルトや吸引ヘッドにより床面又は壁面等の支持面に対して一時的に固定可能なベースプレートを具えるのが普通である。この種のドリルスタンドは，重量が大きいために組立時の取り扱いが容易でなく，吸引ヘッドにより壁面に固定するのが困難である。
【０００３】
ヨーロッパ特許第４８９５７９号明細書（特許文献１）は，ベースプレートを具えるコアドリル装置用のドリルスタンドを記載している。このベースプレートは，非加工材料にアンカーを打ち込み，そのアンカーに固定されたボルトを長孔に通すことにより，支持面に対して一時的に固定可能とされている。ドリルスタンドを壁面に固定する場合，使用者はスタンドを片手で保持しながら固定作業を行う必要があり，作業が煩雑であり，しかも不確実である。
【０００４】
ドイツ特許第３６０４００５号明細書（特許文献２）は，非加工材料用のクランプ装置を記載している。このクランプ装置は，非加工材料におけるバックカット溝に係合させたクランプロッドを軸線方向にクランプするための旋回可能な偏心手段を具えている。
【０００５】
【特許文献１】
ヨーロッパ特許第４８９５７９号明細書
【特許文献２】
ドイツ特許第３６０４００５号明細書
【０００６】
【発明の課題】
本発明の課題は，ベースプレートを壁面に対しても容易かつ確実に固定可能としたドリルスタンドを提案することである。
【０００７】
【課題の解決手段】
本発明は，上記の課題を解決するため，請求項１に記載した構成を特徴とするものである。また，本発明の好適な実施形態は，従属請求項に記載したとおりである。
【０００８】
すなわち，本発明は，非加工材料に対して固定可能なベースプレートを具え，該ベースプレートに設けられた貫通孔内に，軸線方向に作用する少なくとも１つの当接肩部を有するクランプロッドを貫通させるドリルスタンドにおいて，前記貫通孔に関連させて配置された係止手段を具え，該係止手段が，クランプロッドの当接肩部との軸線方向における形状結合により該クランプロッドを係止するための対応肩部と，係止手段上に係止されたクランプロッドを軸線方向にクランプするための，手動操作可能な偏心手段とを含むことを特徴とする。
【０００９】
本発明によれば，加工すべき基材にクランプロッドを一時的にセットし（第１工程），次に，クランプロッドをベースプレートの長孔に通して設置されたドリルスタンドを，クランプロッドを係止する係止手段を超えて，例えば自重で自動的に定着させる（第２段階）。さらに，ドリルスタンドを手動操作可能な偏心手段によりクランプロッド上で軸線方向にクランプし，非加工材料の表面に対して直角方向にクランプ力を作用させることによりドリルスタンドを固定する（第３工程）。
【００１０】
本発明の好適な実施形態においては，クランプロッドが直径線上で相互に対向する一対の当接肩部を具え，係止手段がそれぞれ直径線上で対向する対応肩部を有する一対の係止ジョーを具える。これにより，クランプロッドを対称的に，しかもクランプロッドに及ぼされる力のみをもって係止することが可能である。
【００１１】
係止手段における係止ジョーは，クランプロッドの中心軸線に向けて弾性的に付勢するのが望ましい。この場合には，ドリルスタンドの空間的姿勢の如何を問わず，係止手段による自動的な係止が可能となる。
【００１２】
偏心手段により軸線方向に変位可能とした係止手段とベースプレートとの間に開口ウェッジを配置し，係止手段をクランプ方向と逆向きに変位させる際に，該開口ウェッジにより両係止ジョーを互いに離間する方向に変位させるのが好適である。この場合には，クランプが解除されたクランプロッドを係止位置から容易に取り外すことが可能である。
【００１３】
クランプロッドにおける軸線方向に作用する当接肩部は，外ネジの一部として，又は軸線方向に非対称の係止部として設けるのが好適である。この場合には，複数の係止位置が等角度間隔で配置され，偏心手段のクランプ距離に対するクランプロッドの設置高さについての許容公差を増加させることが可能である。
【００１４】
別の実施形態として，クランプロッドにおける軸線方向に作用する当接肩部を，軸線方向のバックカット，例えば所謂「あり溝」等として形成することも可能である。この場合には，係止手段における対応肩部の半径方向における位置決めを軸線方向でのクランプ力により達成することが可能となり，そのための特別の位置決め手段を省略することが可能となる。
【００１５】
ベースプレートにおける貫通孔を長孔として形成し，係止手段を長孔に沿い，クランプロッドの半径方向に向けて配置するのが好適である。この場合には，クランプロッドに対してベースプレートを容易に位置決め調整することが可能である。
【００１６】
長孔の両端において係止手段に手動操作可能な偏心手段を設け，これらの偏心手段を可動結合手段により相互に結合して一体的に操作可能とするのが好適である。
【００１７】
さらに，手動操作可能な偏心手段を，旋回レバーにより所定範囲内で旋回可能に結合するのが，作業性を向上する見地から好適である。
【００１８】
【実施の形態】
以下，本発明を図示の好適な実施形態について更に具体的に説明する。
【００１９】
図１に示すように，本発明によるドリルスタンド１は，クラウンコアドリル２１を有するコアドリル装置２を対象とするものであり，非加工材料３としての壁面に固定されるベースプレート４を具えている。ベースプレート４には，その法線方向に貫通する貫通孔５が設けられ，この貫通孔５には，アンカー１７により非加工材料３に一時的に固定されたクランプロッド６が通されている。クランプロッド６は，その中心軸線Ａに対して直径線上で互いに対向する一対の当接肩部７ａ，７ｂを有する。これらの当接肩部７ａ，７ｂは，軸線対称性を有する係止部の一部として，軸線方向に等間隔で離散配置され，角度αをもって軸線方向にバックカットされており，軸線方向にクランプ力を作用させるものである。貫通孔５に関連して係止手段８が設けられている。係止手段８は，それぞれ直径線上で互いに対向して配置され，軸線方向にクランプ力を作用させる対応肩部１０ａ，１０ｂを有する２個の係止ジョー９ａ，９ｂと，係止ジョー９ａ，９ｂのための旋回軸受として形成され，係止手段８により係止されたクランプロッド６を軸線方向にクランプするための偏心部材１１ａ，１１ｂとを含んでいる。偏心部材１１ａ，１１ｂにより軸線方向に変位可能とされている係止手段８と，ベースプレート４との間には，開口ウェッジ１２が配置されている。偏心部材１１ａ，１１ｂは，所定角度範囲内で旋回可能な軸１３に結合されている。係止ジョー９ａ，９ｂは，バネ１４ａ，１４ｂ及びディスク１８を介してクランプロッド６に対してクランプされる。偏心部材１１ａ，１１ｂは，旋回レバー１５により手動操作可能とされている。
【００２０】
図２に示すように，ベースプレート４内の貫通孔５は長孔として形成され，係止手段８は長孔５に沿ってクランプロッド６の半径方向に延在している。開口ウェッジ１２は，長孔５の両端で係止手段８に設けられている。開口ウェッジ１２は，各係止ジョー９ａ，９ｂのためにブラケット１９内に支持されている軸１３，並びに偏心部材１１ａ，１１ｂ及びディスク１８の下側に位置する。これらの構成要素は旋回レバー１５により一体的に手動操作可能とされており，そのために可動結合手段１６及びクランク２０により軸１３を互いに結合している。
【図面の簡単な説明】
【図１】  本発明によるドリルスタンドの一実施形態を一部破断して示す正面図である。
【図２】  図１のドリルスタンドにおけるベースプレート単体の平面図である。
【符号の説明】
１  ドリルスタンド
２  コアドリル装置
３  非加工材料
４  ベースプレート
５  貫通孔
６  クランプロッド
７ａ，７ｂ  当接肩部
８  係止手段
９ａ，９ｂ  係止ジョー
１０ａ，１０ｂ  対応肩部
１１ａ，１１ｂ  偏心手段
１２  開口ウェッジ
１５  旋回レバー
【図１】
0004198962.tif 000002
【図２】
0004198962.tif 000003